(57)【要約】【課題】  スライダの移動範囲の一方側限界位置がシャーシの左右幅方向一端縁の外側に張り出す突出位置に定められているディスク装置において、スライダが不慮に押し込まれないようにする。【解決手段】  樹脂製シャーシ１の支持台５にガイドリブ８が備わり、ラック６１を備えたスライダ６に、ガイドリブ８に嵌合されたガイド溝部６２が備わっている。スライダ６の移動範囲の一方側限界位置がシャーシ１の左右幅方向一端縁１２の外側の突出位置に定められている。シャーシ１に外力受止め部材１００を一体に成形し、その外力受止め部材１００の上端部をガイドリブ８の延長リブ部８１によって形成する。外力受止め部材１００に押込み外力を受け止めさせてその押込み外力がスライダ６に伝達されないようする。【選択図】        図１
2006134412.tif 000002
【特許請求の範囲】
【請求項１】
支持台を有する樹脂製シャーシの上記支持台に、その支持台の左右幅方向に延びるガイドリブが備わり、ピニオンの正逆回転運動を往復直線運動に変換するラックを一体に備えたスライダに、上記ガイドリブに摺動自在に嵌合されたガイド溝部が備わっているディスク装置において、
上記シャーシに昇降可能に可動フレームが取り付けられ、その可動フレームに、ディスクが載架されるターンテーブルとディスクの記録面を走査する光ピックアップとが搭載され、上記可動フレームが上昇することによってターンテーブルに載架されたディスクがチャッキングされてそのターンテーブルに一体回転可能に保持され、上記可動フレームが下降することによってディスクのチャッキングが解除されてターンテーブルからのディスクの取外しが可能になっていて、上記スライダが、左右方向の往復移動を通じて上記可動フレームを昇降させるカム機構を備えるカムスライダとして形成され、
上記ガイド溝部と上記ガイドリブとによる案内作用によって左右方向に往復移動する上記スライダの移動範囲の一方側限界位置が、そのスライダの一端部が上記シャーシの左右幅方向一端縁を越えてその外側に張り出す突出位置に定められていると共に、上記スライダの一端部が上記シャーシの左右幅方向一端縁を越えてその外側に張り出して位置するときに、そのスライダを上記移動範囲の他方側限界位置に向けて押し込む方向の押込み外力を受け止めてスライダに伝達されにくくする外力受止め部材を、上記シャーシにその左右幅方向一端縁から突出する状態で一体に成形してあり、
上記ガイドリブが上記シャーシの左右幅方向一端縁を越えてその外側に延長された延長リブ部を備えていて、その延長リブ部が上記外力受止め部材の一部を形成すると共に、その外力受止め部材の全体が、上記延長リブ部の厚さと同一厚さに形成されて上記シャーシの左右幅方向一端縁からその外側に突出し、かつ、上記外力受止め部材の外側端面が、上記一方側限界位置である突出位置に移動した上記スライダの一端部端面と面一になる垂直面によって形成されていることを特徴とするディスク装置。
【請求項２】
支持台を有する樹脂製シャーシの上記支持台に、その支持台の左右幅方向に延びるガイドリブが備わり、ピニオンの正逆回転運動を往復直線運動に変換するラックを一体に備えたスライダに、上記ガイドリブに摺動自在に嵌合されたガイド溝部が備わっているディスク装置において、
上記ガイド溝部と上記ガイドリブとによる案内作用によって直線運動経路を移動する上記スライダの移動範囲の一方側限界位置が、そのスライダの一端部が上記シャーシの左右幅方向一端縁を越えてその外側に張り出す突出位置に定められていると共に、上記スライダの一端部が上記シャーシの左右幅方向一端縁を越えてその外側に張り出して位置するときに、そのスライダを上記移動範囲の他方側限界位置に向けて押し込む方向の押込み外力を受け止めてスライダに伝達されにくくする外力受止め部材を、上記シャーシにその左右幅方向一端縁から突出する状態で一体に成形してあることを特徴とするディスク装置。
【請求項３】
上記ガイドリブが上記シャーシの左右幅方向一端縁を越えてその外側に延長された延長リブ部を備えていて、その延長リブ部が上記外力受止め部材の一部を形成している請求項２に記載したディスク装置。
【請求項４】
上記延長リブ部を一部に有する上記外力受止め部材の全体が、その延長リブ部の厚さと同一厚さに形成されていると共に、その外力受止め部材が、上記シャーシの左右幅方向一端縁からその外側に突出している請求項３に記載したディスク装置。
【請求項５】
上記外力受止め部材の外側端面が、上記一方側限界位置である突出位置に移動した上記スライダの一端部端面と面一になる垂直面によって形成されている請求項４に記載したディスク装置。
【発明の詳細な説明】
【技術分野】
【０００１】
本発明は、ディスク装置、特に、樹脂製シャーシに左右幅方向の直線往復運動を行うスライダによって動作が制御される部材を備えているディスク装置に関する。
【背景技術】
【０００２】
この種のディスク装置は従来より周知であり（たとえば特許文献１参照）、この種のディスク装置では、一般的に、スライダにピニオン・ラック機構のラックが一体に備わっていて、ピニオンの回転運動がラックの直線運動に変換されてスライダが左右に往復移動するようになっている。また、このディスク装置には、シャーシに昇降可能に取り付けられた可動フレームにターンテーブルや光ピックアップが搭載されていと共に、可動フレームが上昇すると、ターンテーブルに載架されたディスクがチャッキング機構によりチャッキングされてターンテーブルに一体回転可能に保持され、可動フレームが下降するとチャッキング状態が解除されてターンテーブルからディスクを取り外すことができるようになっている。
【０００３】
そして、特許文献１に記載されているディスク装置では、カム部材（上記スライダに相当する）が、シャーシの左右幅方向両端縁に立ち上げられている左右の壁部の対向空間内で往復移動するようになっているため、カム部材の一端部がシャーシの左右方向一端縁を越えてその外側に張り出すような事態が起こらないようになっている。
【０００４】
しかしながら、ディスク装置自体の機構部品のレイアウトやその外形サイズに制約が課せられたり、ディスク装置を外殻としての筐体に他の種類の装置や部品と共に収容することの要請からそのデザインや外形サイズに制約が課せられたりすることがあり、そのような場合には、左右方向に往復移動する上記スライダの移動範囲の一方側限界位置を、そのスライダの一端部がシャーシの左右方向一端縁を越えてその外側に張り出す突出位置に定めざるを得ないこともある。そのようなディスク装置を図４〜図７を参照して次に説明する。
【０００５】
図５はディスク装置の外観を示した概略斜視図、図６はディスク装置の概略構成を示した平面図、図７は図６の要部の拡大図、図８は図６の要部の側面図、図９は図７のＩＸ−ＩＸ線に沿う部分の断面図である。
【０００６】
図５において、１は樹脂製シャーシであり、このシャーシ１にはディスク（不図示）を搬入出するためのディスクトレイ２やディスクチャッキング機構３が取り付けられていると共に、そのシャーシ１の左右幅方向の端縁などに、このディスク装置を取付け基板などに設置するための取付け用ブラケット４が一体に成形されている。
【０００７】
図６に示したように、シャーシ１には、その前端部の全幅に亘って横架された支持台５が一体に備わっていて、その支持台５にスライダ６が矢印Ａで示すように左右往復移動可能に取り付けられていると共に、支持台５の後側近傍箇所にはシャーシ１に取り付けられたピニオン７が配備されていて、スライダ６と共に一体成形されたラック６１がそのピニオン７に噛み合うことによってピニオン７の矢印ａで示す正逆回転運動がラック６１の往復直線運動に変換されるようになっている。また、図７〜図９に拡大して示したように、スライダ６の左右方向Ａの往復移動が、上記支持台５にその上面から突出する状態に具備されて左右方向Ａに延びるガイドリブ８とスライダ６に具備されてそのガイドリブ８に摺動自在に嵌合されたカイド溝部６２とによって案内されるようになっている。そして、ガイドリブ８に対するガイド溝部６２の嵌合箇所を、ラック６１の直近の背部に位置させることによってピニオン６に対するラック６１の噛合いの確実性を高めていると共に、ガイド溝部６２をスライダ６のラック形成部６３の全幅に亘って形成してある。
【０００８】
一方、図６のようにシャーシ１には可動フレーム９が取り付けられている。この可動フレーム９は、その後端部がシャーシ１に回動可能に取り付けられていて、一点鎖線イで示した箇所を中心としてその前端部が昇降するように構成されている。この可動フレーム９には、ディスク（不図示）が載架されるターンテーブル９１やディスクの記録面を光学的に走査する光ピックアップ９２のほか、上記したピニオン７に回転を伝達する歯車列９３などが取り付けられている。そして、可動フレーム９が上昇すると、ターンテーブル９１に載架されたディスクが、図５に示したディスクチャッキング機構３とターンテーブル９１との共働によりチャッキングされてそのターンテーブル９１に一体回転可能に保持され、可動フレーム９が下降すると、チャッキングが解除されてターンテーブル９１からのディスクの取外しが可能になる。なお、ターンテーブル９１へのディスクの給送とターンテーブル９１からのディスクの排出は図５に示したディスクトレイ２の搬入出動作を通じて行われ、光ピックアップ９２によるディスクの記録面を光学的に走査は、ディスクチャッキング状態でターンテーブル９１が回転しているときに行われる。
【０００９】
可動フレーム９の上述した昇降動作は、スライダ６の左右方向の往復移動を通じて行われる。すなわち図６のように、スライダ６は、カム溝（図に現れていない）とそのカム溝に案内されるカム突起６４とによって構成されるカム機構を備えたカムスライダとして形成されていて、カム突起６４が可動フレーム９の前端部に突設されている。
【００１０】
このディスク装置において、ピニオン７はシャーシ１の左右幅方向一端縁１２の内側近傍箇所に位置している。ピニオン７がこの位置に配備されているのは、可動フレーム９の取付けスペースや歯車列９３の取付けスペース、さらには、このディスク装置を外郭としての筐体に収容するときの設置スペースをでるだけ狭くするためにシャーシ１の左右幅を可及的短くすることの必要性などの諸要因との関係からである。
【００１１】
そして、ピニオン７の位置を上記のようにシャーシ１の左右幅方向一端縁１２の内側近傍箇所に位置させている結果、左右方向に往復移動するスライダ６の移動範囲の一方側限界位置を、そのスライダ６の一端部６５が図６及び図７〜図９のようにシャーシ１の左右方向一端縁１２を越えてその外側に張り出す突出位置に定めざるを得なくなっている。したがって、スライダ６が一方側限界位置まで移動したときには、その一端部６５が同図のようにシャーシ１の左右方向一端縁１２を越えてその外側に張り出している。これに対し、スライダ６が他方側限界位置に移動したときには、図示していないけれども、その一端部６５がシャーシ１の左右方向一端縁１２の内側に退入する。また、スライダ６が一方側限界位置まで移動したときには、図示していない機構が作動することにより、ラック６１がピニオン７を越えてその外側に離れる位置まで矢印Ａ１方向に移動し、ピニオン７が空転して光ピックアップ９２がディスクの半径方向（図６矢印Ｂ）に移動するようになっている（記録再生モード）のに対し、スライダ６が他方側限界位置まで移動したときには、図示していない別の機構が作動してラック６１がピニオン７の内側に離れる位置まで矢印Ａ２方向に移動するようになっている（トレイオープンモード）。
【００１２】
さらに、図例のディスク装置では、図５のようにシャーシ１の取付け用ブラケット４が支持台５の端部に設けられてていて、このブラケット４を筐体の底板などにビス止めすることによって当該ディスク装置が筐体に取り付けられるようになっている。
【００１３】
他の従来例として、ディスクトレイに横向きの外力が加わったときなどに、ディスクトレイがその搬入出動作を案内するためのガイドが外れてディスクトレイの搬入出動作の安定性が損なわれるのを防ぐことを内容とする技術が提案されている（たとえば特許文献２、特許文献３参照）。
【特許文献１】特開２００３−３１７３５７号公報
【特許文献２】特開２００４−２２７６５５号公報
【特許文献３】特開２００３−２８１８６８号公報
【発明の開示】
【発明が解決しようとする課題】
【００１４】
しかしながら、図５〜図９を参照して説明したディスク装置のように、カムスライダとしてのスライダ６の移動範囲の一方側限界位置が、スライダ６の一端部６５がシャーシ１の左右幅方向一端縁１２を越えてその外側に張り出す突出位置に定められていると、当該ディスク装置の組立工程やその他の取扱い時に、作業者ないしオペレータが、シャーシ１の左右幅方向一端縁１２を越えてその外側に張り出しているスライダ６の一端部を、不慮に、あるいは、ハンドリングやエマージェンシ用の部材と間違えて触れてそのスライダ６が他方側限界位置に向けて図９矢印Ｆのように押し込まれるという事態の起こり得ることが知見された。特に、ディスクトレイ２を組み付ける前の組立段階でスライダ６に対してそのような不慮の押込み動作がなされると、スライダ６の押込み動作によってそのラック６１がピニオン７を回転させて所謂ギアずれという状況が引き起こされ、ひいては、ピニオン７に噛合している歯車列９３の各歯車を回転させるため、ディスクトレイ２を組み付けた後での光ピックアップ９２の初期設定位置が正規位置からずれたり、他の機構の適正な動作タイミングが損なわれたりして動作不良を引き起こす原因になることがある。
【００１５】
そこで、本発明は、左右方向に往復移動するスライダの移動範囲の一方側限界位置が、スライダの一端部がシャーシの左右幅方向一端縁を越えてその外側に張り出す突出位置に定められているような場合でも、一方側限界位置に位置しているスライダが不慮に押し込まれてギアずれを引き起こすという事態を未然に防止することを可能にすることによって、上記したような動作不良を生じるおそれのないディスク装置を提供することを目的とする。
【００１６】
特に、本発明は、部品を追加することなく、きわめて簡単な対策を講じるだけで上記したような動作不良を生じるおそれのないディスク装置を提供することを目的とする。
【課題を解決するための手段】
【００１７】
本発明に係るディスク装置は、支持台を有する樹脂製シャーシの上記支持台に、その支持台の左右幅方向に延びるガイドリブが備わり、ピニオンの正逆回転運動を往復直線運動に変換するラックを一体に備えたスライダに、上記ガイドリブに摺動自在に嵌合されたガイド溝部が備わっている。そして、上記ガイド溝部と上記ガイドリブとによる案内作用によって直線運動経路を移動する上記スライダの移動範囲の一方側限界位置が、そのスライダの一端部が上記シャーシの左右幅方向一端縁を越えてその外側に張り出す突出位置に定められていると共に、上記スライダの一端部が上記シャーシの左右幅方向一端縁を越えてその外側に張り出して位置するときに、そのスライダを上記移動範囲の他方側限界位置に向けて押し込む方向の押込み外力を受け止めてスライダに伝達されにくくする外力受止め部材を、上記シャーシにその左右幅方向一端縁から突出する状態で一体に成形してある。
【００１８】
この構成であると、当該ディスク装置の組立工程やその他の取扱い時に、作業者ないしオペレータが、シャーシの左右幅方向一端縁を越えてその外側に張り出しているスライダの一端部を、不慮に押し込もうとしたり、あるいは、ハンドリングやエマージェンシ用の部材と間違えて触れようとしたときの力、すなわち、スライダを他方側限界位置に向けて押し込もうとする力が外力受止め部材によって受け止められてスライダに及びにくくなるので、スライダが不慮に押し込まれるという事態が起こり得なくなる。その結果、スライダの不慮の押込み動作によって動作不良を引き起こす原因になるという事態が起こりにくくなる。
【００１９】
本発明では、上記ガイドリブが上記シャーシの左右幅方向一端縁を越えてその外側に延長された延長リブ部を備えていて、その延長リブ部が上記外力受止め部材の一部を形成していることが望ましい。これによれば、スライダを他方側限界位置に向けて押し込もうとする力が外力受止め部材によって受け止められてスライダに及びにくくなるだけでなく、スライダの一端部がシャーシの左右幅方向一端縁を越えてその外側に張り出す動作中も、スライダの移動が延長リブ部によって案内されるために、スライダ移動時の動作安定性が向上する。
【００２０】
本発明では、上記延長リブ部を一部に有する上記外力受止め部材の全体が、その延長リブ部の厚さと同一厚さに形成されていると共に、その外力受止め部材が、上記シャーシの左右幅方向一端縁からその外側に突出していることが望ましい。これによれば、外力受止め部材がシャーシの補強リブとして役立つだけでなく、外力受止め部材を追加することがシャーシの外形サイズの大型化を引き起こさないという利点がある。
【００２１】
本発明では、上記外力受止め部材の外側端面が、上記一方側限界位置である突出位置に移動した上記スライダの一端部端面と面一になる垂直面によって形成されている、という構成を採用することが可能であり、そのようにすることによって、外力受止め部材がシャーシの左右幅方向一端縁から徒に大きく突出することが回避され、併せて、スライダを他方側限界位置に向けて押し込もうとする力が外力受止め部材によって受け止められてスライダに及びにくくなるという作用が確実に発揮されるようになる。
【００２２】
本発明に係るディスク装置は、次の構成を採用することによっていっそう具体化される。すなわち、支持台を有する樹脂製シャーシの上記支持台に、その支持台の左右幅方向に延びるガイドリブが備わり、ピニオンの正逆回転運動を往復直線運動に変換するラックを一体に備えたスライダに、上記ガイドリブに摺動自在に嵌合されたガイド溝部が備わっているディスク装置において、上記シャーシに昇降可能に可動フレームが取り付けられ、その可動フレームに、ディスクが載架されるターンテーブルとディスクの記録面を走査する光ピックアップとが搭載され、上記可動フレームが上昇することによってターンテーブルに載架されたディスクがチャッキングされてそのターンテーブルに一体回転可能に保持され、上記可動フレームが下降することによってディスクのチャッキングが解除されてターンテーブルからのディスクの取外しが可能になっていて、上記スライダが、左右方向の往復移動を通じて上記可動フレームを昇降させるカム機構を備えるカムスライダとして形成され、上記ガイド溝部と上記ガイドリブとによる案内作用によって左右方向に往復移動する上記スライダの移動範囲の一方側限界位置が、そのスライダの一端部が上記シャーシの左右幅方向一端縁を越えてその外側に張り出す突出位置に定められていると共に、上記スライダの一端部が上記シャーシの左右幅方向一端縁を越えてその外側に張り出して位置するときに、そのスライダを上記移動範囲の他方側限界位置に向けて押し込む方向の押込み外力を受け止めてスライダに伝達されにくくする外力受止め部材を、上記シャーシにその左右幅方向一端縁から突出する状態で一体に成形してあり、上記ガイドリブが上記シャーシの左右幅方向一端縁を越えてその外側に延長された延長リブ部を備えていて、その延長リブ部が上記外力受止め部材の一部を形成すると共に、その外力受止め部材の全体が、上記延長リブ部の厚さと同一厚さに形成されて上記シャーシの左右幅方向一端縁からその外側に突出し、かつ、上記外力受止め部材の外側端面が、上記一方側限界位置である突出位置に移動した上記スライダの一端部端面と面一になる垂直面によって形成されている、という構成を採用することによっていっそう具体化される。この発明の作用については後述する実施形態を参照して詳細に説明する。
【発明の効果】
【００２３】
本発明によれば、スライダの移動範囲の一方側限界位置が、スライダの一端部がシャーシの左右幅方向一端縁を越えてその外側に張り出す突出位置に定められているような場合でも、スライダを押し込もうとする力を外力受止め部材が受け止めてスライダに及びにくくするので、一方側限界位置に位置しているスライダが不慮に押し込まれてギアずれを引き起こすという事態が未然に防止される。そのため、スライダの不慮の押込み動作によって動作不良を引き起こす原因になるという事態が起こりにくくなり、動作安定性にすぐれて、上記したような動作不良を生じるおそれのないディスク装置を提供することが可能になる。
【００２４】
また、部品を追加することなく、しかも、外形サイズの大型化を来さないようなきわめて簡単な対策を講じるだけで上記したような動作不良を生じるおそれのないディスク装置を提供することが可能になる。
【発明を実施するための最良の形態】
【００２５】
図１は本発明の実施形態に係るディスク装置の外観斜視図、図２は図７に相応する平面図、図３は図８に相応する平面図、図４は図２のＩＶ−ＩＶ線に沿う部分の断面図である。
【００２６】
図１〜図４を既述の図５及び図７〜図９と対比することによって判るように、この実施形態のディスク装置では、図５〜図９を参照して説明したディスク装置において、外力受止め部材１００を、樹脂製シャーシ１にその左右幅方向一端縁１２から突出する状態で一体に成形してある点だけであり、その他の構成は、図５〜図９を参照して説明したディスク装置と同様である。
【００２７】
図１又は図２〜図４に示したように、外力受止め部材１００は、取付け用ブラケット４とシャーシ１の側面とによって形成される入隅部分にリブ状に形成されていて、そのために、この外力受止め部材１００がシャーシ１やその取付け用ブラケット４の補強リブとして機能する。また、この実施形態では、シャーシ１の支持台５の上面に備わっているガイドリブ８が、シャーシ１の左右幅方向一端縁１２を越えてその外側にまっすぐに延長された延長リブ部８１を備えていて、その延長リブ部８１が、外力受止め部材１００の一部、具体的には外力受止め部材１００の上端部を形成している。さらに、図３によって判るように、外力受止め部材１００の全体が、延長リブ部８１の厚さと同一厚さに形成されてシャーシ１の左右幅方向一端縁１２からその外側に突出しており、図４のように、その外力受止め部材１００の外側端面１０１が、一方側限界位置である突出位置に移動したスライダ６の一端部端面と面一になる垂直面によって形成されている。
【００２８】
その他の構成は、図５〜図９を参照して説明したディスク装置と同様であるので、説明の重複を回避するため、同一又は相応する部分に図５〜図９と同一符号を付すことによって各部の説明を省略する。
【００２９】
以上の構成を備えたディスク装置によると、当該ディスク装置の組立工程やその他の取扱い時に、作業者ないしオペレータが、シャーシ１の左右幅方向一端縁１２を越えてその外側に張り出しているスライダ６の一端部を、不慮に押し込もうとしたり、あるいは、ハンドリングやエマージェンシ用の部材と間違えて触れようとしたときの力、すなわち、スライダ６を他方側限界位置に向けて押し込もうとする力（図４矢印Ｆ）が外力受止め部材１００によって受け止められてスライダに及びにくくなるので、スライダ１００が不慮に押し込まれるという事態が起こり得ない。そのため、スライダ１００の不慮の押込み動作に伴う上記ギヤずれが起こる余地がなくなり、そのギヤずれが動作不良を引き起こす原因になるという事態が起こらない。
【００３０】
その上、ガイドリブ８に具備された延長リブ部８１が外力受止め部材１００の上端部を形成してスライダ６のガイド溝部６２を案内する構成になっているので、スライダ６の一端部６５がシャーシ１の左右幅方向一端縁１２を越えてその外側に張り出す動作中も、スライダ６の移動が延長リブ部８１によって案内されてスライダ移動時の動作安定性が向上するという利点がある。
【００３１】
さらに、図１や図２、図４によって判るように、シャーシ１の左右幅方向一端縁１２からの外力受止め部材１００の出幅が、取付け用ブラケット４の出幅よりも小さくなっており、また、外力受止め部材１００の外側端面１０１が、一方側限界位置である突出位置に移動したスライダ６の一端部端面と面一になる垂直面によって形成されているといった事項により、外力受止め部材１００を追加したにもかかわらず、シャーシ１の外形サイズは外力受け止め部材１００を備えていないもの（図６などに示したもの）と同じサイズであり、そのために、このディスク装置を外郭としての筐体に収容するときにその設置スペースを拡大する必要性がない。そのため、その筐体内での他の要素の設置スペースを狭めることを要しないという利点がある。
【００３２】
なお、この実施形態では、外力受止め部材１００の上端部をガイドリブ８の延長リブ部８１によって形成したり、外力受止め部材１００の厚さを延長リブ部８１の厚さと同一に定めたりしているけれども、外力受止め部材１００をガイドリブ８とは別個に設けることも可能であり、そのようにしても、一方側限界位置に移動しているスライダ６の不慮の押込みをその外力受止め部材１００によって防止することが可能である。
【図面の簡単な説明】
【００３３】
【図１】本発明の実施形態に係るディスク装置の外観斜視図である。
【図２】実施形態に係るディスク装置の要部の平面図である。
【図３】実施形態に係るディスク装置の要部の側面図である。
【図４】図２のＩＶ−ＩＶ線に沿う部分の断面図である。
【図５】比較例としてのディスク装置の外観を示した概略斜視図である。
【図６】比較例としてのディスク装置の概略構成を示した平面図である。
【図７】図６の要部の拡大図である。
【図８】図６の要部の側面図である。
【図９】図７のＩＸ−ＩＸ線に沿う部分の断面図である。
【符号の説明】
【００３４】
１  樹脂製シャーシ
５  支持台
６  スライダ（カムスライダ）
７  ピニオン
８  ガイドリブ
９  可動フレーム
１２  シャーシの左右幅方向一端縁
６１  ラック
６２  ガイド溝部
６５  スライダの一端部
８１  延長リブ部
９１  ターンテーブル
９２  光ピックアップ
１００  外力受止め部材
１０１  外力受止め部材の外側端面
【図１】
2006134412.tif 000003
【図２】
2006134412.tif 000004
【図３】
2006134412.tif 000005
【図４】
2006134412.tif 000006
【図５】
2006134412.tif 000007
【図６】
2006134412.tif 000008
【図７】
2006134412.tif 000009
【図８】
2006134412.tif 000010
【図９】
2006134412.tif 000011